【事件の表示】
　特願２００４−２３７８５６「バイオチップ用カートリッジおよびバイオチップ読取装置」拒絶査定不服審判事件〔平成１８年３月２日出願公開，特開２００６−５８０４４〕について，次のとおり審決する。
【結　論】
　本件審判の請求は，成り立たない。
【理　由】
第１　手続の経緯　
　本願は，平成１６年８月１８日の特許出願であって，平成２０年９月２９日付けの拒絶理由通知に対して同年１２月１日付け手続補正書が提出され，平成２１年２月３日付けで拒絶査定がなされ，これに対し，同年３月９日付けで拒絶査定に対する審判請求がなされるとともに，同日付けで手続補正（以下「本件補正」という）がなされたものである。さらに，平成２２年４月２０日付けで審尋がなされ，回答書が同年６月１４日付けで請求人より提出されたものである。　
　　
第２　本件補正についての補正却下の決定　
［補正却下の決定の結論］　
　　本件補正を却下する。　
［理由］　
１　補正の内容　
　本件補正は，補正前の特許請求の範囲の請求項１〜５（平成２０年１２月１日付けで補正）である　
「【請求項１】　
  バイオチップに設けられた複数のサイトのそれぞれにマイクロレンズによって同時に複数の励起光ビームを照射させるように構成されたバイオチップ用カートリッジであって、　
　
前記カートリッジにおいて各マイクロレンズと各サイトがそれぞれ対峙して設けられ、
  前記各サイトが，マイクロレンズの光軸方向において前記励起光ビームの合焦位置以外の位置にそれぞれ配置され、前記サイトへ照射
され
　　【請求項２】　
  
前記マイクロレンズとサイトの間がバッファ液で充填されていることを特徴とする請求項１に記載のバイオチップ用カートリッジ。
　　【請求項３】　
  
前記各サイトが、前記マイクロレンズの基板の裏面に取付けられていることを特徴とする請求項１または２に記載のバイオチップ用カートリッジ。
　　【請求項４】　
  
請求項１ないし３のいずれかに記載のバイオチップ用カートリッジを備え、励起光の平行光を前記バイオチップ用カートリッジの複数のマイクロレンズに同時に入射し、前記バイオチップ用カートリッジの各サイトからの蛍光をリレーレンズを介してカメラで観測するように構成されたことを特徴とするバイオチップ読取装置。
　　【請求項５】　
  
非走査にて前記複数のサイトの画像情報を読取るように構成されたことを特徴とする請求項４に記載のバイオチップ読取装置。」　を，
「　【請求項１】　
  バイオチップに設けられた複数のサイトのそれぞれにマイクロレンズによって同時に複数の励起光ビームを照射させるように構成されたバイオチップ用カートリッジであって、　
　前記カートリッジにおいて各マイクロレンズと各サイトがそれぞれ対峙して
一体に
  前記各サイト
は、全域が均一に照射されるように
より前記マイクロレンズに接近して
固定
　　【請求項２】　
  前記マイクロレンズとサイトの間がバッファ液で充填されていることを特徴とする請求項１に記載のバイオチップ用カートリッジ。　
　　【請求項３】　
  前記各サイトが、前記マイクロレンズの基板の裏面に取付けられていることを特徴とする請求項１または２に記載のバイオチップ用カートリッジ。　
　　【請求項４】　
  請求項１ないし３のいずれかに記載のバイオチップ用カートリッジを備え、励起光の平行光を前記バイオチップ用カートリッジの複数のマイクロレンズに同時に入射し、前記バイオチップ用カートリッジの各サイトからの蛍光をリレーレンズを介してカメラで観測するように構成されたことを特徴とするバイオチップ読取装置。　
　　【請求項５】　
  非走査にて前記複数のサイトの画像情報を読取るように構成されたことを特徴とする請求項４に記載のバイオチップ読取装置。」　
と補正するものであり，これに伴い，補正前の明細書の段落【０００６】を，【請求項１】の記載に合わせて補正したものである。　
　　
２　補正の検討　
　本件補正前後の【請求項１】の記載を比較すると，以下（１）および（２）の補正がなされている。　
（１）請求項１に特定されていた「各マイクロレンズ」と「各サイト」が，それぞれ対峙して設けられるだけでなく，それぞれ対峙して「一体に」設けられる点を限定したものである。　
（２）請求項１に特定されていた「各サイト」につき，「マイクロレンズの光軸方向において励起光ビームの合焦位置以外の位置にそれぞれ配置され」る点を，「全域が均一に照射されるようにマイクロレンズの光軸方向において前記励起光ビームの合焦位置より前記マイクロレンズに接近してそれぞれ固定配置され」ると限定するものである。　
　上記（１）の補正につき検討する。　
　願書に最初に添付された明細書（以下「当初明細書」という）の段落【００１２】〜【００１４】には，「各マイクロレンズ」と「各サイト」との関係について，「カートリッジ１０は，箱状の容器１１とその蓋部１２から構成される。蓋部１２には，励起光および蛍光を集光する複数のマイクロレンズ１４からなるマイクロレンズアレイ１３が蓋部１２と一体的に形成されている。容器１１の内部底面にはバイオチップのサイト１５が設けられている。・・・また，カートリッジ１０の容器１１と蓋部１２は，最終段階において密閉状に接着される。」と記載されている。　
　また，同じく当初明細書
の
　以上の記載から，当初明細書には，「各マイクロレンズ」と「各サイト」とが「直接的に」一体に設けられる点については記載がないものの，「蓋部および容器」またはマイクロレンズ１４が形成された「基板」を介して「間接的に」一体に設けられる点が記載されているといえる。よって，「各マイクロレンズ」と「各サイト」が，それぞれ対峙して「一体に」設けられるとする上記（１）の補正は，新たな技術的事項を導入するものではなく，当初明細書に記載した事項の範囲内においてしたものではないとまではいえない。　
　また，上記（１）の補正は，補正前の請求項１に特定されていた「各マイクロレンズ」と「各サイト」につき，それぞれ対峙して設けられるだけでなく，それぞれ対峙して「一体に」設けられる点を限定したものであるから，平成１８年法律第５５号改正附則第３条第１項によりなお従前の例によるとされる同法による改正前（以下「平成１８年法改正前」という）の特許法第１７条の２第４項第２号の特許請求の範囲の減縮を目的とするものに該当する。　
　　
　上記（２）の補正につき検討する。　
　請求項１に特定されていた「各サイト」につき，「マイクロレンズの光軸方向において励起光ビームの合焦位置以外の位置にそれぞれ配置され」る点を，「全域が均一に照射されるようにマイクロレンズの光軸方向において前記励起光ビームの合焦位置より前記マイクロレンズに接近してそれぞれ固定配置され」ると限定するものであるから，平成１８年法改正前の特許法第１７条の２第４項第２号の特許請求の範囲の減縮を目的とするものに該当する。　
　　
３　独立特許要件について　
　補正後の請求項１に係る発明（以下「補正発明」という）が，特許出願の際に独立して特許を受けることができるものであるか（平成１８年改正前の特許法第１７条の２第５項において準用する同法第１２６条第５項の規定に適合するか）について，以下に検討する。　
　　
（１）引用刊行物１の記載事項　
　本願出願前に頒布され，原査定の拒絶の理由に引用された刊行物である特開２００２−２０７００７号公報（以下「刊行物１」という）には，図面と共に次の事項が記載されている。なお，下線は当審にて付与する。　
　　
（１−ア）　
「【特許請求の範囲】　
【請求項１】複数の試料をスポット状またはラインアレイ状に配置したバイオチップに複数の光束の光を照射して、受光器により前記複数の試料に応じた画像情報を読取るバイオチップ読取り装置において、　
前記複数の試料と前記複数の光束の空間配置が一致するように構成したことを特徴とするバイオチップ読取り装置。　
【請求項２】前記複数の試料をそれぞれ照射している光束が前記試料の表面とは異なる光軸位置に結像するように構成したことを特徴とする請求項１記載のバイオチップ読取り装置。　
【請求項３】前記試料からの蛍光画像が受光器の表面とは異なる光軸位置に結像するように構成したことを特徴とする請求項１記載のバイオチップ読取り装置。　
【請求項４】前記照射光が試料に対して斜め入射となるようにし、試料からの蛍光画像と励起光とが分離するように構成したことを特徴とする請求項１記載のバイオチップ読取り装置。　
【請求項５】前記試料からの蛍光画像と励起光が受光器上で離れた位置に結像するように構成したことを特徴とする請求項４記載のバイオチップ読取り装置。」　
　　
（１−イ）　
「【０００１】　
【発明の属する技術分野】本発明は、バイオチップの試料を励起光で励起し、発生した蛍光の波長を読み取るバイオチップ読取り装置に関し、測定の高速化、装置の簡素化、試料へのダメージ低減、さらに励起光のレーザをマイクロレンズで集光する際に生ずるスポット内強度分布を平坦化するための改良に関するものである。」　
　　
（１−ウ）　
「【０００２】　
【従来の技術】従来より、ＤＮＡや蛋白質などに蛍光物質を標識しこれにレーザ光を照射してその蛍光物質を励起し、これにより発生した蛍光を読取ってＤＮＡや蛋白質などを検出し解析する装置がある。この場合、蛍光物質が標識されたＤＮＡや蛋白質などをアレイ状にスポットしたバイオチップが利用される。　
【０００３】図８は従来の落射型のバイオチップ読取り装置の一例を示す概念的構成図である。この装置は、図８（ａ）に示すように
基板ＰＬ上に配列が既知のＤＮＡ分子（遺伝子）Ａ、Ｂ、Ｃ、…を複数個結合してなるバイオチップ６
【０００４】同図（ｃ）において、光源１からの光（レーザ光）はレンズ２で平行光になり、ダイクロイックミラー４を透過した後レンズ３によりバイオチップ６上に集光される。バイオチップ６からの戻り光はレンズ３で平行光に戻り、ダイクロイックミラー４で反射してレンズ８により受光器９に結像する。　
【０００５】この場合、バイオチップ６を載置したステージ（図示せず）を駆動手段（図示せず）によりＸＹ方向に移動してバイオチップ６表面を走査し、バイオチップ６表面の画像を得る。」　
　　
（１−エ）　
「【０００６】　
【発明が解決しようとする課題】しかしながら、このような従来の装置では次のような課題があった。バイオチップ６に照射される１つのスポットを用いてステージを走査してバイオチップ表面の画像を得ているが、
ステージの移動機構が複雑であり、時間もかかるという欠点がある。
【０００７】さらに、この場合ビームの光強度は強くなければならないが、光強度が強いと試料の蛍光色素は退色し易いという問題もある。また、強い光強度のスポットは受光器９やその後段のアナログ・デジタル変換器を飽和させるきらいがあるため、ゲインを下げる必要がある。ゲインを下げると微弱光が測定できなくなり、ダイナミックレンジが狭くなるという欠点もある。　
【０００８】本発明の目的は、上記の課題を解決するもので、従来のように試料を載置したステージを移動する必要がなく、また蛍光色素の退色の心配もなく、簡単な構造で微弱光の測定も可能なバイオチップ読取り装置を実現することにある。」　
　　
（１−オ）　
「【０００９】　
【課題を解決するための手段】このような目的を達成するために、請求項１の発明では、
複数の試料をスポット状またはラインアレイ状に配置したバイオチップに複数の光束の光を照射して、
【００１０】このような構成により、従来のようなステージ移動を要することなく、非走査で複数の試料の画像情報を読取ることができる。また同一の読取時間で比較するとビームの本数分だけ弱い光でよいため従来のような光強度の強いレーザ光を照射する必要もないため、蛍光色素の退色の心配もなく、微弱光の測定も可能な読取り装置を実現することができる。　
【００１１】この場合、請求項２のように、前記
複数の試料をそれぞれ照射している光束が前記試料の表面とは異なる光軸位置に結像するようにすることもできる。このようにすると、バイオチップスポットの全体がほぼ一様な強度分布となり
バイオチップを対物レンズの集光点よりも遠い光軸位置に載置した場合には、ワーキングディスタンスが広くなりバイオチップ挿脱などの作業性が向上する。
【００１２】また、請求項３のように、前記試料からの蛍光画像が受光器の表面とは異なる光軸位置に結像するようにすることもできる。このようにすると、受光器や後段のアナログ・デジタル変換器の強度的な偏りを軽減させることができ、測定のダイナミックレンジを拡大できる。　
【００１３】また、請求項４のように前記照射光が試料に対して斜め入射となるようにし、試料からの蛍光画像と励起光とが分離するようにしても構わない。このようにすると、励起光の背景光除去が可能となる。　
【００１４】また、請求項５のように前記試料からの蛍光画像と励起光が受光器上で離れた位置に結像するようにした場合は、画像処理の段階で励起光の反射像を容易に除去できる。」　
　　
（１−カ）　
「【００１５】　
【発明の実施の形態】以下図面を用いて本発明を詳しく説明する。図１は本発明に係るバイオチップ読取り装置の一実施例を示す構成図である。図において、光源１からの光はレンズ２で平行光になり、バイオチップ６の試料ピッチＰに等しい間隔で配置されたマイクロレンズアレイＭＡのマイクロレンズＭＬにより集光される。その後レンズ３で平行光になり、ダイクロイックミラー４で反射して対物レンズ５によりバイオチップ６上に結像する。　
【００１６】
バイオチップ６の各スポットは各々に集光された光により励起
【００１７】図３は本発明の他の実施例図である。図１の場合、バイオチップのスポットはレンズの集光スポットの強度分布で励起されるため、バイオチップのスポット内部の蛍光は一様に励起されず、中央部が強く周辺部が弱い励起となり、蛍光強度にもその分布の影響が出る。すなわち、中央部では強い蛍光が発生するが周辺部では弱い蛍光しか発生しないことになる。また、中央部は周辺部より蛍光色素が退色し易い。　
【００１８】図３に示す発明はその点を改善したものであり、各構成素子は図１と同じであるが、
照射光がバイオチップ６の表面と異なる光軸位置にフォーカスするようにした
【００１９】図３において、光源１からの照射光はレンズ２で平行光になり、バイオチップ８の試料ピッチに等しい間隔で配置されたマイクロレンズＭＡにより集光される。ここまでは図１のものと同じである。　
【００２０】その後ダイクロイックミラー４で反射され、対物レンズ５によりバイオチップ６の表面と異なる光軸位置にフォーカスさせる（図では鎖線で示す）。つまり、バイオチップ６上ではオフフォーカス（デフォーカス）状態にする。　
【００２１】これにより、図４に示すように試料を照射している光束のフォーカススポットＡは試料のサイズＳ１、Ｓ２、Ｓ３、Ｓ４よりも大きくなる。図５は試料を照射している光束のフォーカススポットとオフフォーカススポットの強度分布の比較図である。これからも明らかなようにオフフォーカススポットＡはバイオチップスポットサイズＳ１、Ｓ２、Ｓ３、Ｓ４内でほぼ一様な強度分布となることが理解できる。　
【００２２】各バイオチップスポットはこのデフォーカスされたレーザ光で励起され、蛍光を発する。この蛍光は対物レンズ５、ダイクロイックミラー４、フィルタ７を透過し、受光器前のレンズ８によって受光器９上へ結像する。この場合、結像レンズ８の位置を調節して受光器９の結像面とバイオチップ６の表面のフォーカスを合わせておく。　
【００２３】このように、本発明によれば
バイオチップスポットはその全体がほぼ一様な強度分布で励起される
　　
（１−キ）　
「【００２４】なお、
図３では対物レンズ５の集光点より手前にバイオチップを載置した
【００２５】なお、この場合、受光器９上にバイオチップスポットの像を結像するとき、オフフォーカスにすると受光素子（ＣＣＤ素子など）や後段のアナログ・デジタル変換器の強度的な偏りを軽減することができ、測定のダイナミックレンジを拡大することができる。」　
　　
（１−ク）　
「【００２８】　
【発明の効果】以上説明したように本発明によれば次のような効果がある。　
（１）従来のような
ステージ移動を要することなく、非走査で複数の試料の画像情報を読取ることができるため容易に測定の高速化が図られる。
【００２９】（２）また、複数の試料をそれぞれ照射している光束を前記試料の表面とは異なる光軸位置に結像するようにしたときは、バイオチップスポットはその全体がほぼ一様な強度分布となり、試料に励起光強度分布の影響が及ばなくなる。　
（３）試料からの蛍光画像が受光器の表面とは異なる光軸位置に結像するようにすると、受光器や後段のアナログ・デジタル変換器の強度的な偏りを軽減させることができ、容易に測定のダイナミックレンジを拡大できる。　
【００３０】（４）更に、照射光が試料に対して斜め入射となるような関係にすると、試料からの蛍光画像と励起光とが分離し、背景光除去が可能になる。　
（５）試料からの蛍光画像と励起光が受光器上で離れた位置に結像するように構成した場合は、画像処理で励起光の反射像を容易に除去できる。」　
　　
（１−ケ）　
　図１には，上記記載事項（１−カ）を参照すると，「光源からの光」について，バイオチップの試料ピッチに等しい間隔で配置されたマイクロレンズアレイのマイクロレンズにより集光され，レンズ３，ダイクロイックミラー４，対物レンズを介してバイオチップの試料の各々に照射され，バイオチップの各スポットは各々に集光された光により励起され，蛍光を発すること，試料へ照射される光と試料から発生する蛍光が共に同一の対物レンズを透過すること，そしてその蛍光は，対物レンズを透過した後，ダイクロイックミラー４，フィルタ７を順に透過し，レンズ８によって受光器９に同時に複数結像することが図示されていると認められる。　
　図３には，上記記載事項（１−カ）を参照すると，各構成素子は図１と同じであるが，照射光がバイオチップ６の表面と異なる光軸位置にフォーカスするようにしたこと，そして対物レンズ５によりバイオチップ６の光軸方向において対物レンズ５の集光点より手前にバイオチップを載置したことが図示されていると認められる。　
　　
　上記記載事項（１−ア）〜（１−ケ）および図１〜８を参照すると，刊行物１には次の発明が記載されていると認められる。　
　　
「複数の試料スポットがその基板ＰＬ上に配置され，読取り装置に載置されるバイオチップ６であって，光源１からの光をレンズ２で平行光にし，前記試料スポットのピッチＰに等しい間隔で配置されたマイクロレンズアレイＭＡのマイクロレンズＭＬによって集光し，その後レンズ３とダイクロイックミラー４と対物レンズ５によって，各々に集光した光を前記複数の試料スポットの試料の各々に照射させるとともに，前記各試料スポットが，そのサイズよりも大きいフォーカススポットＡにより全体がほぼ一様な強度分布で照射され，前記各々の試料へ照射される光と前記各々の試料から発生する蛍光がともに同一の対物レンズ５を透過するように，前記対物レンズ５の光軸方向においてその集光点より手前に載置されるバイオチップ６。」（以下「引用発明１」という）　
　　
（２）引用刊行物２の記載事項　
　同じく，本願出願前に頒布され，原査定の拒絶の理由に引用された特開平１１−１７３９８７号公報（以下「刊行物２」という）には，図面と共に次の事項が記載されている。　
　　
（２−ア）　
「【特許請求の範囲】　
【請求項１】  サンプルを励起するための励起光を放射する光源と，　
前記励起光が照射されることによりサンプル光を発するサンプルを収容するとともに，下部が透明な収容穴を二次元状に複数有するサンプル収容プレートと，　
前記サンプル光に感度を有する二次元の位置分解が可能な二次元光検出器と，　
前記サンプル収容プレートと前記光源の光路および前記サンプル収容プレートと前記二次元光検出器の光路の共通光路上に介在され，前記各収容穴に対応したレンズを二次元状に複数有する集光部と，　
前記励起光と前記サンプル光との共通光路上に配列され，前記光源から放射された前記励起光を前記集光部の下部全体に入射させるとともに，前記集光部の下部全体から放射された前記サンプル光を前記二次元光検出器に入射させる光分離手段と，　
前記二次元光検出器の信号を出力する出力表示部と，　
を備えることを特徴とするマイクロタイタビューア。　
【請求項２】  前記光分離手段が，前記励起光を反射し，前記サンプル光を透過させるダイクロイックミラーであることを特徴とする請求項１記載のマイクロタイタビューア。　
【請求項３】  前記光分離手段が，前記サンプル光を反射し，前記励起光を透過させるダイクロイックミラーであることを特徴とする請求項１記載のマイクロタイタビューア。　
【請求項４】  前記サンプル収容プレートの底部が前記集光部を構成していることを特徴とする請求項１〜３の何れか一項に記載のマイクロタイタビューア。」　
　　
（２−イ）　
「【０００１】　
【発明の属する技術分野】本発明は，複数の容器に分注された血清等のサンプルについて，蛍光光量，吸光度変化等の特性の変化を測定し，サンプルのふるい分け（スクリーニング）を行うマイクロビューアに関する。」　
　　
（２−ウ）　
「【０００２】　
【従来の技術】従来から，血清，細胞等の検体サンプルの測定にマイクロタイタプレートを用いるマイクロタイタビューアが知られている。このマイクロタイタビューアは，マイクロタイタプレート内の各種試薬が注入された検体サンプルへ光源から放射された励起光を照射させ，この照射によりサンプルから発せられる光を受光素子で検出し，検出結果を試薬に応じた規定値と比較して検体サンプルのスクリーニングを行い，このスクリーニング結果を表示するものである。　
【０００３】このようなマイクロタイタビューアに関連する技術として，例えば，特開昭６０−４０９５５号公報に掲載された自動マイクロプレート分光分析装置がある。このマイクロプレート分光分析装置は，光ファイバーを用いて，複数ある検体サンプル収容穴（以下，「ウェル」という。）の検体サンプルに励起光を同時に照射し，この照射による複数の検体サンプルの吸光度，蛍光を検出用ファイバを用いて同時に検出できるように構成されている。　
【０００４】また，その他の例としては，特開平９−４３１９７公報に掲載された蛍光検出装置がある。この蛍光検出装置は，レーザ光源より放射されたレーザ光をステージ上に固定されたマイクロタイタプレートの各ウェルごとに順に入射させて，各ウェルごとに検体サンプルの蛍光検出を行えるように構成されている。」　
　　
（２−エ）　
「【０００５】　
【発明が解決しようとする課題】しかし，上記のマイクロタイタビューアに関連する技術には，それぞれ以下のような問題がある。　
【０００６】まず，特開昭６０−４０９５５号公報に掲載された自動マイクロプレート分光分析装置では，励起光照射用光ファイバと蛍光検出用光ファイバをそれぞれ各ウェルごとに設けたため，複数のウェルについて同時に蛍光検出を行えるという利点があるが，光ファイバを多数必要とするため，コスト高になるとともに，
装置全体の構造が複雑になる
【０００７】一方，特開平９−４３１９７公報に掲載された蛍光検出装置によれば，光ファイバを用いずにレーザ光を検体サンプルに照射できるため，コスト削減が図れるとともに，装置全体の構造を簡略化することが可能である。しかし，この蛍光検出装置では，ステージ２次元可動部によりステージ上に固定されたマイクロタイタプレートを移動させて，
各ウェルごとに順に蛍光検出を行うため，複数ウェル内の検体サンプルの蛍光を同時に検出できる装置と比較すると多大の検出時間がかかる
【０００８】また，マイクロタイタビューアでは，検体サンプルを収容する装置としてマイクロタイタプレートを用いるが，最近では，一度に検出できるサンプルの量を増加させるため，マイクロタイタプレートのウェルが多いものが使用され始めた。しかし，マイクロタイタプレートの外径を変えずにウェルの数を増やすと，ウェル１個の大きさが小さくなり，ウェル１個から放射される蛍光光量等が減少し，蛍光検出が困難になる。さらに，マイクロタイタビューアには，従来は検出不可能であった検体サンプルから発せられる蛍光などの極微弱光を検出できる検出能力が求められている。　
【０００９】そこで，本発明は，このような従来の問題を解決するためになされたものであり，光検出効率の向上を図るとともに，光検出を迅速かつ低コストで実現できるマイクロタイタビューアを提供することを目的とする。」　
　　
（２−オ）　
「【００１０】　
【課題を解決するための手段】上記課題を解決するため，本発明のマイクロタイタビューアは，サンプルを励起するための励起光を放射する光源と，励起光が照射されることによりサンプル光を発するサンプルを収容するとともに，下部が透明な収容穴を二次元状に複数有するサンプル収容プレートと，サンプル光に感度を有する二次元の位置分解が可能な二次元光検出器と，サンプル収容プレートと光源の光路およびサンプル収容プレートと二次元光検出器の光路の共通光路上に介在され，各収容穴に対応したレンズを二次元状に複数有する集光部と，励起光とサンプル光との共通光路上に配列され，光源から放射された励起光を集光部の下部全体に入射させるとともに，集光部の下部全体から放射されたサンプル光を二次元光検出器に入射させる光分離手段と，二次元光検出器の信号を出力する出力表示部とを備えることを特徴とする。　
【００１１】このマイクロタイタビューアによれば，光源から放射された励起光は，光分離手段によって集光部の下部全体に向けて入射され，サンプル収容プレートに備えられた全ての収容穴内の複数のサンプルに照射されることになる。そして，励起光が照射されることにより複数のサンプルから発せられるサンプル光を二次元光検出部で同時に検出でき，この検出結果は出力表示部で表示される。そのため，サンプル光の検出を迅速かつ低コストで実現できることになる。　
【００１２】また，各収容穴に対応したレンズを二次元状に複数有する集光部によって，光分離手段で入射された励起光を各収容穴内で沈殿したサンプルに集光させることが可能であり，サンプル光の発生効率が向上する。さらに，この集光部によって，サンプル光を二次元光検出器に集光させることが可能であり，二次元光検出器での光検出効率が向上する。　
【００１３】また，光分離手段が，励起光を反射し，サンプル光を透過させるダイクロイックミラーであることが望ましい。このダイクロイックミラーを用いれば，光源から放射された励起光を反射し，効率良く集光部の下部全体に入射させることができる。さらに，サンプルから放出されたサンプル光を二次元光検出器に向けて容易に透過させることができる。」　
　　
（２−カ）　
「【００１８】　
【発明の実施の形態】以下，本発明によるマイクロタイタビューアの好適な実施形態について詳細に説明する。　
【００１９】まず，図１により本発明に係る第一の実施形態のマイクロタイタビューア１の全体の構成を説明する。本実施形態のマイクロタイタビューアは，血清等の検体サンプル９の蛍光光量を測定し，検体サンプル９のスクリーニング結果を表示する装置であり，主に，光源である水銀ランプ２，励起波長選択部である励起波長フィルタ３ｂ，光分離手段であるダイクロイックミラー４，集光部であるマイクロレンズアレイプレート５，サンプル収容プレートであるマイクロタイタプレート６，二次元光検出部であるＣＣＤ７，出力表示部であるＴＶモニタ８，そして，励起波長カット部であるバリアフィルタ１０から構成されている。　
【００２０】図１に示すように，励起光を放射する水銀ランプ２とマイクロタイタプレート６の光路上には，励起波長を反射するダイクロイックミラー４が配置されている。このダイクロイックミラー４は，水銀ランプ２から放射された励起光の光軸Ａを，マイクロタイタプレート６側へ９０°曲げて光軸Ｂとするとともに，励起光をマイクロタイタプレート６の下部全体へ入射させるように設置されている。　
【００２１】ここで，図２に示すように，
検体サンプル９は，マイクロタイタプレート６に複数設けられた円筒状のウェル６ａに分注されており，各ウェル６ａには各種試薬が注入されている。
【００２２】図１に示すように，ダイクロイックミラー４と水銀ランプ２の光路上には，水銀ランプ２側から順に，コンデンサレンズ３ａ，投射レンズ３ｃが配置されている。そして，二つのコンデンサレンズ３ａの間には，水銀ランプ２から放射された励起光を選択して透過させる励起波長フィルタ３ｂが配置されている。　
【００２３】また，
マイクロタイタプレート６の真下には，２次元状に並んだ複数のレンズを備えるマイクロレンズアレイプレート５が配置されている。このマイクロレンズアレイプレート５の各レンズは，マイクロタイタプレート６のウェルと同じく１２行８列で計９６個形成されており，ウェル一つに対しレンズが一つずつ設けられている。
【００２４】なお，図３に示すように，マイクロレンズアレイプレート５の各レンズは，検体サンプルが各ウェル６ａの底に沈殿するため，マイクロレンズを通る主光線が各ウェル６ａの底の中心に入射するように配置する必要がある。そのため，投射レンズ３ｃからウェル６ａの底面中心までの距離をＨ（この距離は蛍光像結像レンズ１１からウェル６ａまでの距離と等しくしてある），マイクロレンズアレイプレート５のレンズの底面からウェル６ａの底面までの距離をｄ，マイクロタイタプレート６の中心からウェル６ａの中心軸までの距離をＬとすると，マイクロレンズの中心軸は，　
Ｘ＝Ｌ・ｄ／Ｈ　　
だけウェル６ａの中心軸よりも内側へずらせばよいことになる。　
【００２５】一方，図１に示すように，ダイクロイックミラー４の下方においては，光軸Ｂの延長線上に，検体サンプル９から発せられる蛍光を検出する二次元光検出器として，マイクロタイタプレート６の下部の蛍光イメージを撮像するＣＣＤ７が配置されている。また，このＣＣＤ７とダイクロイックミラー４の光路上には，励起光を吸収し蛍光を透過させるバリアフィルタ１０と，蛍光をＣＣＤ７の受光部へ結像させる蛍光像結像レンズ１１が配置されている。　
【００２６】そして，ＣＣＤ７には，後述のように信号出力を各ウェル６ａごとに積算し，スクリーニングを行えるコンピュータ１２と，検体サンプル９のスクリーニング結果を表示するＴＶモニタ８が接続されている。」　
　　
（２−キ）　
「【００２７】続いて，図１を用いて，本実施形態のマイクロタイタビューア１による検体サンプルの蛍光光量の測定方法を説明する。　
【００２８】水銀ランプ２より放射された励起光は，コンデンサレンズ３ａにより投射レンズ３ｃに向けて集光される。この際，コンデンサレンズ３ａの間には，励起波長フィルタ３ｂが配置されているため，検体サンプル９を励起する波長のみが選択され透過することができる。そして，集められた励起光は，投射レンズ３ｃによりダイクロイックミラー４へ向けて投射される。　
【００２９】そして，ダイクロイックミラー４に投射された励起光の光軸Ａは，マイクロタイタプレート６側へ９０°曲げられ光軸Ｂとなるとともに，励起光はマイクロレンズアレイプレート５を透過してマイクロタイタプレート６の下部全体へ入射される。従って，全てのウェル６ａ内へ励起光を同時に照射できるため，蛍光検出の迅速化を図ることができる。また，特開昭６０−４０９５５号公報に掲載された自動マイクロプレート分光分析装置のような励起光照射用の光ファイバが不要となり，コスト削減が図れる。　
【００３０】特に，励起光はマイクロレンズアレイプレート５を透過する際に，各レンズにより，各ウェル６ａ内の底に溜まったサンプルに向けて集光されるので，レンズのない場合と比較して励起光のサンプルへの照射効率は大幅に向上する。　
【００３１】
励起光を照射されたサンプルは蛍光を発し，この蛍光の内，各ウェルの底から放出された光は，マイクロレンズアレイプレート５を透過する。
【００３２】ダイクロイックミラー４を透過した蛍光は，励起波長カット部であるバリアフィルタ１０を透過する。このバリアフィルタ１０は励起波長を吸収するので，水銀ランプ２から放射された励起光や，マイクロタイタプレート６に反射された後に本来透過することのないダイクロイックミラー４を透過してしまった微量の励起光を更にカットすることができる。そして，バリアフィルタ１０を透過した蛍光は，蛍光結像レンズ１１によりＣＣＤ７上に照射され，ＣＣＤ７は，マイクロタイタプレート６の底面の蛍光イメージを撮像することができる。　
【００３３】このように，マイクロレンズアレイプレート５とダイクロイックミラー４を用いることにより，
複数のサンプルより発せられた蛍光を，ＣＣＤ７で同時に検出することができ，蛍光検出の迅速化が図れる。
【００３４】蛍光光量に比例したＣＣＤ７の各素子からの信号出力は，ビデオ信号としてＴＶモニタ８に表示される。また，コンピュータ１２により，信号出力は各ウェル６ａの領域毎に加算され，より鮮明にマイクロタイタプレート６の底面の蛍光イメージを撮像することができる。そして，領域毎に加算された信号出力は各ウェル６ａの出力信号とされ，この出力信号と検体サンプル９に注入された試薬に応じた既定値とを比較して，検体サンプル９のスクリーニングが行われる。このスクリーニング結果もＴＶモニタ８に表示される。なお，スクリーニングは，コンピュータ１２でなく，ＴＶモニタ８の画面上における各サンプルの蛍光度を肉眼で観察して行うこともできる。また，２次元状に注入された検体サンプル９に対して，ＣＣＤ７による撮像結果およびＴＶモニタ８の表示も同様に２次元状であるため，各ウェルに座標を付けることにより，容易にスクリーニングを行うことができる。」　
　　
（２−ク）　
「【００３５】続いて，図４を用いて，本発明に係る第二の実施形態を説明する。
本実施形態のマイクロタイタビューアは，マイクロタイタプレート３０の底板そのものを，透明かつ無蛍光の材料からなるマイクロレンズアレイプレート３１で形成したものである。
　　
（２−ケ）　
「【００４７】　
【発明の効果】以上説明したように，本発明のマイクロタイタビューアによれば，励起光をサンプルに向けて集光するとともにサンプル光を二次元光検出器に向けて集光する集光部が備えられているため光検出効率の向上が図れ，光分離手段を備えたことにより光検出を迅速かつ低コストで実現することができる。」　
　　
　上記記載事項（２−ア）〜（２−ケ）および図１〜４によれば，刊行物２には，次の発明が開示されていると認められる。　
　　
「マイクロタイタプレート６の真下に該マイクロタイタプレート６のウェル６ａ一つに対しレンズが一つずつ設けられたマイクロレンズアレイプレート５が配置され，前記マイクロタイタプレート６の底板そのものをマイクロレンズアレイプレート５で形成するとともに，全ての前記ウェル６ａは，前記マイクロレンズアレイプレート５を透過した励起光によって同時に照射し，前記励起光を照射された前記ウェル６ａ内のサンプルは蛍光を発し，該蛍光にマイクロレンズアレイプレート５を透過して検出されるマイクロタイタビューア。」（以下「引用発明２」という）　
　　
（３）　対比・判断　
　補正発明と引用発明１とを対比すると，引用発明１の「複数の試料スポット」，「集光した光」，「集光点」および「透過」は，それぞれ，補正発明の「複数のサイト」，「励起光ビーム」，「合焦位置」および「通過」に相当することは明らかである。　
　そして，引用発明１の「バイオチップ６」と補正発明の「バイオチップ用カートリッジ」とは，読取り装置に載置されるバイオチップである点において共通し，引用発明１の「複数の試料スポットがその基板ＰＬ上に配置され，読取り装置に載置されるバイオチップ６」と補正発明の「バイオチップに設けられた複数のサイトのそれぞれにマイクロレンズによって同時に複数の励起光ビームを照射させるように構成されたバイオチップ用カートリッジ」とは，「複数のサイトを有する読取り装置に載置されるバイオチップ」である点において共通する。　
　また，引用発明１の「全体がほぼ一様な強度分布で」は，補正発明の「全域が均一に」と技術的に同じ意味であり，引用発明１の「対物レンズ５」と補正発明の「マイクロレンズ」とは「レンズ」である点において共通するから，引用発明１の「各試料スポットが，そのサイズよりも大きいフォーカススポットＡにより全体がほぼ一様な強度分布で照射され・・・・・るように，前記対物レンズ５の光軸方向においてその集光点より手前に載置される」と補正発明の「前記各サイトは、全域が均一に照射されるようにマイクロレンズの光軸方向において前記励起光ビームの合焦位置より前記マイクロレンズに接近してそれぞれ固定配置される」とは，「各サイトは，全域が均一に照射されるようにレンズの光軸方向において励起光ビームの合焦位置よりレンズに接近してそれぞれ固定配置され」る点において共通するといえる。　
　さらに，引用発明１の「各々の試料へ照射される光と前記各々の試料から発生する蛍光がともに同一の対物レンズ５を透過する」と補正発明の「サイトへ照射される励起光とサイトから発生する蛍光が共に同一のマイクロレンズを通過する」とは，「サイトへ照射される励起光とサイトから発生する蛍光が共に同一のレンズを通過する」点において共通するといえる。　
　　
　そうすると，両者は，　
（一致点）　
「複数のサイトを有する読取り装置に載置されるバイオチップであって，　
　各サイトは，全域が均一に照射されるようにレンズの光軸方向において励起光ビームの合焦位置よりレンズに接近してそれぞれ固定配置され，サイトへ照射される励起光とサイトから発生する蛍光が共に同一のレンズを通過するバイオチップ。」　
である点で一致し，次の点で相違する。　
　　
（相違点１）　
「複数のサイトを有する読取り装置に載置されるバイオチップ」が，補正発明では「バイオチップに設けられた複数のサイトのそれぞれにマイクロレンズによって同時に複数の励起光ビームを照射させるように構成されたバイオチップ用カートリッジ」であるのに対し，引用発明１では「複数の試料スポットがその基板ＰＬ上に配置され，読取り装置に載置されるバイオチップ６」である点。　
　　
（相違点２）　
　「レンズ」が，補正発明では，「カートリッジにおいて各サイトとそれぞれ対峙して一体に設けられ」た「各マイクロレンズ」であって，引用発明１では，「バイオチップ６」とは別に設けられた「対物レンズ５」である点。
　　
　まず，相違点１について検討する。　
　カートリッジとは，「はめ込み式の交換部品」を意味する（「広辞苑　第５版」株式会社岩波書店　平成１０年１１月１１日発行　参照）。それに対し，上記記載事項（１−オ）の記載からみて，引用発明１における「バイオチップ６」も読取り装置に載置され，交換され得ることが明らかであるから，引用発明１の「バイオチップ」は「カートリッジ」の一種であるといえる。　
　また，引用発明１における「バイオチップ６」に対して照射される「集光した光」は，同一の「光源１」より，「レンズ２」，「マイクロレンズアレイＭＡ」，「レンズ３」，「ダイクロイックミラー４」および「対物レンズ５」によって，複数照射されるものであるから，それら複数の照射は，「バイオチップ６」に対して「同時」に照射されるものであるといえる。そうすると，引用発明１も補正発明と同様に「バイオチップに設けられた複数のサイトのそれぞれに同時に複数の励起光ビームを照射させる」ものであるといえる。　
　そうすると，相違点１は，実質的な相違点とはいえない。　
　　
　次に，相違点２について検討する。　
　まず，本願明細書の段落【００１２】〜【００１４】，【００２０】には，以下の記載がある。　
　「【００１２】　
  カートリッジ１０は，箱状の容器１１とその蓋部１２から構成される。蓋部１２には，励起光および蛍光を集光する複数のマイクロレンズ１４からなるマイクロレンズアレイ１３が蓋部１２と一体的に形成されている。容器１１の内部底面にはバイオチップのサイト１５が設けられている。そして，各サイトは前記各マイクロレンズと同一ピッチで配置されており，サイト１５を照射する励起光とサイト１５から発生する蛍光が当該サイト１５に対峙した同一のマイクロレンズ１４を通過するように形成されている。　
【００１３】　
  なお，蓋部１２のマイクロレンズ１４には励起光と蛍光に対して透過率の良い材料が用いられる。なお，カートリッジ１０の容器１１は，必ずしもマイクロレンズ１４と同じ材料で形成する必要はない。　
【００１４】　
  また，カートリッジ１０の容器１１と蓋部１２は，最終段階において密閉状に接着される。内部の空洞部にはバッファ液が充填される。バッファ液を充填した場合，マイクロレンズ１４からサイト１５までの間は，油浸または水浸レンズ相当のウェットの光学系となる。したがって，開口数ＮＡが大きく取れ，光量が増大する。例えば，開口数０．３のものがバッファ液を充填して開口数１．２になると，光量は４２＝１６倍となる。開口数０．９のものが開口数１．２になると，光量は１．３２＝１．８倍となる。」　
　「【００２０】　
  なお，本発明は，上記実施例に限定されることなく，その本質から逸脱しない範囲で更に多くの変更，変形をも含むものである。例えば，以下のような他の実施例も含む。
（１）図３に示すように，マイクロレンズ１４が形成された基板の裏面にサイト１５が配置される構造であっても構わない。　
（２）図４に示すように，カートリッジ１０内の空洞部が狭い場合は，空洞部にバッファ液がなく，空の状態であっても構わない。」　
　以上の記載からみて，補正発明における「カートリッジにおいて各マイクロレンズと各サイトがそれぞれ対峙して一体」とは，「カートリッジにおいて各マイクロレンズと各サイトがそれぞれ対峙して間接的に一体」であることを含むものであるといえる。　
　　
　一方，引用発明２の「マイクロタイタプレート６の底板そのものをマイクロレンズアレイプレート５で形成したもの」は，「底板」自体が「マイクロレンズアレイ」を有するプレートで形成され，サンプルが分注された「ウェル６ａ」一つに対し「レンズ」が一つずつ設けられるものであるから，サンプルが分注された各「ウェル６ａ」と各「マイクロレンズアレイ」とがそれぞれ対峙してかつ「マイクロレンズアレイ」のプレートを介して一体に設けられているといえる。また，該「マイクロタイタプレート６の底板そのものをマイクロレンズアレイプレート５で形成したもの」は，引用発明２の「マイクロタイタビューア」に対し，交換可能なものであり，「カートリッジ」の一種であることは，その機能からみて明らかである。　
　そうすると，引用発明２の「マイクロタイタプレート６の底板そのものをマイクロレンズアレイプレート５で形成したもの」，「ウェル６ａ」および「マイクロレンズアレイプレート５のレンズ」は，それぞれ，補正発明の「カートリッジ」，「サイト」および「マイクロレンズ」に対応するといえる。　
　また，引用発明１も引用発明２も，ともに試料に励起光を照射して試料から発せられる蛍光を測定する蛍光検出技術において，多大の検出時間，装置の複雑化，という課題を解決するために，「マイクロレンズアレイ」を用いた点で共通するといえる。そして，引用発明１においては，その「マイクロレンズアレイＭＡ」と「対物レンズ５」との２光学要素により，引用発明２の「マイクロレンズアレイプレート５」と光学的に同等の機能を奏しているといえ，２光学要素により奏する機能を１光学要素により実現するようなことは，光学分野一般において，構造を簡素化するために適宜実施されている設計的事項に過ぎない。　
　　
　してみると，引用発明１における「対物レンズ５」の構成に代えて，引用発明２のような構成を採用する，すなわち，相違点２における補正発明の構成とすることは，当業者ならば十分動機付けがあり，何ら困難なく，容易に想到し得る事項であるというべきである。　
　　
　そして，相違点１および２を採用したことによる補正発明の効果も，引用発明１および２から予測される範囲内のものであり，格別顕著なものとはいえない。　
　　
　したがって，補正発明は，本願出願前に国内において頒布された引用発明１及び２に基づいて当業者が容易に発明をすることができたものであるから，特許法第２９条第２項の規定により，特許出願の際独立して特許を受けることができないものである。　
　　
４　まとめ　
　以上のとおりであるから，本件補正は，平成１８年改正前の特許法第１７条の２第５項において準用する同法第１２６条第５項の規定に違反するので，特許法第１５９条第１項の規定において読み替えて準用する同法第５３条第１項の規定により，却下すべきものである。　
　　
第３　本願発明について　
１　本願発明　
　本件補正は上記のとおり却下されることとなったので，本願の請求項１〜５に係る発明は，平成２０年１２月１日付けの手続補正書により補正された明細書の特許請求の範囲の請求項１〜５に記載された事項により特定されるとおりのものであって，その請求項１は次のとおりである。（以下請求項１に係る発明を「本願発明」という）　
「【請求項１】　
  バイオチップに設けられた複数のサイトのそれぞれにマイクロレンズによって同時に複数の励起光ビームを照射させるように構成されたバイオチップ用カートリッジであって，　
　
前記カートリッジにおいて各マイクロレンズと各サイトがそれぞれ対峙して設けられ，
され
　　
２　引用刊行物の記載事項　
　原査定の拒絶の理由に引用した刊行物１およびその記載事項ならびに刊行物２およびその記載事項は，前記「第２　３　（１）刊行物１の記載事項」および「第２　３　（２）刊行物２の記載事項」に記載したとおりである。
　　
３　本願発明について　
　本願発明は，補正発明において，「各マイクロレンズ」と「各サイト」が，それぞれ対峙して設けられるだけでなく，それぞれ対峙して「一体に」設けられるという限定，および，「各サイト」につき，「マイクロレンズの光軸方向において励起光ビームの合焦位置以外の位置にそれぞれ配置され」る点を，「全域が均一に照射されるようにマイクロレンズの光軸方向において前記励起光ビームの合焦位置より前記マイクロレンズに接近してそれぞれ固定配置され」るという限定がないものである。　
　そうすると，本願発明の構成要件を全て含む補正発明が前記「第２　３（３）」において検討したとおり，引用発明１および２に基づいて当業者が容易に発明をすることできたものであるから，本願発明も，同様の理由により，引用発明１および２に基づいて，当業者が容易に発明をできたものであるというべきである。　
　　
４　むすび　
　以上のとおり，本願発明は，特許法第２９条第２項の規定により特許を受けることができないものであるから，他の請求項に係る発明に言及するまでもなく，本願は拒絶されるべきものである。　
　よって，結論のとおり審決する。